(57)【要約】【課題】  制御が簡単で、高速切り替えが出来、ネットワーク構成に制限を与えない光分岐挿入装置を提供する。【解決手段】  挿入される光信号の波長と同じ波長の光信号をスルー信号から取り除く構成として、ドロップ型ＡＯＴＦを使用する。ドロップ型ＡＯＴＦは、常に全波長を選択するように、ＲＦ信号を入力しておき、リジェクトしたい波長に対してのみ、ＲＦ信号を入力しないようにする。これにより、ＲＦ信号が停止された波長の光信号は、ドロップ型ＡＯＴＦにより選択されなくなり、スルー出来なくなる。入力を停止するＲＦ信号が1つのみとなるので、「引き寄せ効果」が生じず、光分岐挿入装置の制御が簡単化される。また、高速な切り替えが可能であると共に、挿入する波長を可変にできるので、ネットワーク構成に対する制限ともならない。【選択図】図１
2005348270.tif 000002
【特許請求の範囲】
【請求項１】
ネットワークを流れてくる波長多重光信号に対し、所定の波長の光信号を分岐し、所定の波長の光信号を挿入する光分岐挿入装置において、
入力された波長多重光信号を分岐する分岐手段と、
該分岐手段によって分岐された第１の光信号から所定の波長の光信号を分離する分離手段と、
音響光学チューナブルフィルタからなり、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトするように構成され、該分岐手段によって分岐された第２の光信号から挿入されるべき光信号と同じ波長の光信号をリジェクトするリジェクト手段と、
該リジェクト手段をスルーしてきた光信号に、所定の波長の光信号を挿入する挿入手段と、
を備えることを特徴とする光分岐挿入装置。
【請求項２】
前記挿入される光を生成するトランスポンダ手段を更に備え、
該トランスポンダ手段は、
挿入すべき光信号を入力し、電気信号に変換する光電気変換手段と、
多波長光源と、
多波長光源からの光から、必要な波長の光を選択する選択手段と、
該選択され多波長の光を、該光電気変換手段によって得られた電気信号で変調する変調手段と、
を備えることを特徴とする請求項１に記載の光分岐挿入装置。
【請求項３】
ネットワークを流れてくる波長多重光信号に対し、所定の波長の光信号を分岐し、所定の波長の光信号を挿入する光分岐挿入装置において、
ネットワークを流れてくる波長多重光信号を受信し、光信号の分岐挿入を行う、光信号の分岐挿入の動作が固定された波長に限定された固定分岐挿入手段と、
音響光学チューナブルフィルタからなり、該固定分岐挿入手段から分岐された波長の光信号を入力し、スルーしたい波長の光信号は、該音響光学チューナブルフィルタに対応するＲＦ信号を印加してスルーさせ、リジェクトしたい波長の光信号は、該音響光学チューナブルフィルタに対応するＲＦ信号の印加を停止してリジェクトするリジェクト手段と、
該リジェクトされた光信号と同じ波長の光信号を該固定分岐挿入手段に入力して、光信号を挿入する挿入手段と、
を備えることを特徴とする光分岐挿入装置。
【請求項４】
前記挿入される光を生成するトランスポンダ手段を更に備え、
該トランスポンダ手段は、
挿入すべき光信号を入力し、電気信号に変換する光電気変換手段と、
多波長光源と、
多波長光源からの光から、必要な波長の光を選択する選択手段と、
該選択され多波長の光を、該光電気変換手段によって得られた電気信号で変調する変調手段と、
を備えることを特徴とする請求項３に記載の光分岐挿入装置。
【請求項５】
音響光学チューナブルフィルタからなり、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトするように構成された光学デバイス。
【発明の詳細な説明】
【技術分野】
【０００１】
本発明は、光通信ネットワークに使用される光通信機器において、任意の波長の光信号を分岐・挿入することができる光分岐挿入装置に関する。
【背景技術】
【０００２】
将来のマルチメディアネットワークの構築を目指し、超長距離、かつ、大容量の光通信装置が要求されている。この大容量化を実現する方式として、波長分割多重（ＷＤＭ：Wavelength Division Multiplexing）方式があり、光ファイバの光帯域・大容量性を有効利用できるなどの有利な点が存在することから、この方式の研究開発が進められている。
【０００３】
特に、光通信ネットワークにおいては、ネットワーク上の各地点において、必要において光信号を通過・分岐・挿入する機能、光伝送路を選択する光ルーティング・クロスコネクト機能が必要である。このため、光信号を通過・分岐・挿入する分岐挿入（ＯＡＤＭ：Optical Add/Drop Multiplexing）装置が研究開発されている。このＯＡＤＭ装置は、固定波長の光信号のみを分岐・挿入することができる波長固定型のＯＡＤＭ装置と任意波長の光信号を分岐・挿入することが出来る任意波長型のＯＡＤＭ装置がある。
【０００４】
一方、音響光学型チューナブルフィルタ（ＡＯＴＦ：Acousto-Optic Tunable Filter）は、選択する波長の光のみ抽出するように動作するため、選択する波長が固定であるファイバグレーティングと異なり、任意に波長を選択することができる。更に、可変波長選択フィルタでもあるので、端局間において光信号を分岐・挿入する局であるトリビュータリ局における可変波長選択フィルタとしても使用することができる。このような理由により、ＡＯＴＦを使用したＯＡＤＭ装置が研究開発されている。
【０００５】
図８は、ＡＯＴＦの動作原理を説明するための構成図である。
図８において、ＡＯＴＦは、強誘電体結晶の一種であり圧電作用を示すニオブ酸リチウム（LiNbO3）基板７にチタン（Ti）拡散法で２本の光導波路１、２を形成する。
【０００６】
これら光導波路１、２は、互いに２箇所で交差しており、これら２つの交差する部分に導波路型の偏光ビームスプリッタ（ＰＢＳ：Polarization Beam Splitter）３、４が設けられている。また、２つの交差する部分の間において、２本の光導波路１、２の上には、金属膜のＳＡＷガイド６が形成されている。このＳＡＷガイド６には、櫛を交互にかみ合わせた電極（ＩＤＴ：Inter Digital Transducer）５が設けられ、これに１６０〜１８０ＭＨｚ帯の制御信号（以下、ＲＦ信号）を印加することによって発生する弾性表面波（ＳＡＷ：Surface Acoustic Wave）がＳＡＷガイド６に沿って伝搬する。
【０００７】
図８において、波長λ１、λ２、λ３の光をＡＯＴＦのポート１１に入力した場合、ＰＢＳ３によって、ＴＥモードとＴＭモードの偏波モードが混合された入力光はＴＥモードとＴＭモードに分かれて光導波路１、２を伝搬する。ここで、ＲＦ信号発生回路１０によって生成される特定の周波数のＲＦ信号ｆ１をＩＤＴ５に印加することによって弾性表面波が発生し、これがＳＡＷガイド６に沿って伝播すると、ＳＡＷガイド６と交差している部分の光導波路１、２において、音響光学（ＡＯ：Acousto-Optic）効果により２つの光導波路１、２の屈折率が周期的に変化するようになる。
【０００８】
このため、入力光のうち、この屈折率の周期的な変化と相互作用する特定の波長の光のみ偏波モードが回転し、ＴＥモードとＴＭモードとが入れ替わる。回転量は、ＴＥモードとＴＭモードの光が屈折率の変化と相互作用する作用長及びＲＦ信号のパワーに比例する。作用長は、ＩＤＴ５を挟んで光導波路１、２上に形成される、表面弾性波を吸収する吸収体８、９の間隔によって調整される。従って、作用長とＲＦ信号のパワーとを最適化することによって、光導波路１の中で、その波長のＴＭモード光は、ＴＥモード光に変換され、光導波路２の中で、その波長のＴＥモード光は、ＴＭモード光に変換される。そして、この変換されたＴＥモード光とＴＭモード光は、ＰＢＳ４によって進行方向が変えられ、相互作用をした波長の光のみが、分岐光として選択され、相互作用をしなかった波長の光は、透過して出力光となる。
【０００９】
図８では、ＲＦ信号ｆ１によって、それぞれ波長λ１の光信号が作用を受け、分岐光として選択されたことを示している。
このように、ＡＯＴＦは、ＲＦ信号の周波数に応じた波長の光のみを選択して分岐させることができ、更に、このＲＦ信号の周波数を変化させることによって選択される光の波長を変えることができる。
【００１０】
また、このとき、ポート１２から出射される出力光は、ポート１１に入射される入力光からＲＦ信号の周波数に対応する波長の光のみが除去された光信号（波長λ２とλ３）であるので、ＡＯＴＦは、リジェクション機能を持つと考えることが出来る。
【００１１】
図９は、ドロップ型ＡＯＴＦの構成を説明するための図である。
同図のドロップ型ＡＯＴＦは、２種類のサイドローブ低減法を併用した構造をもち、２段接続かつ斜め薄膜ＳＡＷガイドの構成となっており、１波を高消光比かつ低損失に選択できる。１００ＧＨｚ間隔の隣接サイドローブで−２５ｄＢ以下、非隣接サイドローブで−３５ｄＢ以下という高消光比を挿入損失３ｄＢ以下の特性を実現しており、実用レベルに達している。ＲＦ信号周波数の変化に対する選択波長の変化は線形関係にある。スイッチング速度は、制御回路内での切り替え信号遅延も含め１２μｓと高速で切り替えできることが確認されている。
【００１２】
図９においては、所望の波長の光信号を分岐するＡＯＴＦが２段に直列に接続されているのみであり、動作原理は図９と同様なので、対応する構成部分に対応する符号を付すのみで、動作の説明は省略する。
【００１３】
図１０は、５ｃｈ集積型ドロップ型ＡＯＴＦモジュールの構成を説明するための図である。
同図に示すようにＡＯＴＦは、導波路型デバイスであるため、アレイ化・集積化が容易である。同図では５ｃｈ集積型ドロップ型ＡＯＴＦを用いた例を示しているが、更に多チャネル化することも容易である。本モジュールは、５ｃｈ集積ドロップ型ＡＯＴＦ２０、ＲＦ信号発生回路２１、信号処理回路２２及び光モニタ回路２３から構成されており、１００ＧＨｚ間隔のＷＤＭ信号の中から任意の４波長を同時に選択可能である。制御はＡＯＴＦからの各選択光を光タップ２４で分岐し、光モニタ回路２３においてＰＤモニタ値を取得し、ＰＤモニタ値を基に信号処理回路２２で演算を行い、ＲＦ信号発生回路２１を制御する。波長選択時の波長サーチ、選択後のＡＯＴＦ透過特性と信号波長を一致させるＲＦ周波数トラッキングは信号処理回路２２とファームウェアで制御する。同図のように同一基板上の５ｃｈ目を選択基準用に用いることも可能である。こうすることで、温度、部品等の環境による偏差の影響をなくすことができるため、５ｃｈ目のＡＯＴＦで選択された基準光源波長とＲＦ信号間の関係を他のチャネル制御に用いて制御の精度を向上させることが可能となる。
【００１４】
図１１は、リジェクト型ＡＯＴＦの構成を説明するための図である。
ＡＯＴＦの非選択光出力ポートを用いると、特定の波長をブロックするリジェクト型フィルタとして機能する。
【００１５】
図１１は、実用レベルの高いリジェクト比を実現するため、３つの同じ特性のＡＯＴＦを端面で導波路型反射器によって折り返して接続した３段構成となっている。ＲＦ信号を印加することにより、波長間隔２００ＧＨｚの異なる波長を同時にリジェクトできる。ただし、３段構成のため図８のような２段接続ドロップ型ＡＯＴＦと比べ、挿入損失が大きい。
【００１６】
図１１においては、ＡＯＴＦの非選択光出力ポートを使って、３段に直列接続している以外は、図８で説明した動作と同様の動作を行うので、動作の説明は省略する。
図１２は、リジェクト型ＡＯＴＦモジュールの動作を説明するための図である。
【００１７】
図１２は、４波長をリジェクトできる構成となっている。ネットワークから流れてくるＷＤＭ信号の光を予め認識するために、リジェクト型ＡＯＴＦ３０と同一基板上にドロップ型ＡＯＴＦ３１を構成し、ＲＦ信号発生回路３２から出力されるＲＦ信号周波数を１６０ＭＨｚから１８０ＭＨｚまで変化させ、選択光のスペクトルを選択光モニタ回路３２でモニタする。そのモニタ結果から、リジェクトする所望の波長に対応するＲＦ信号をＲＦ信号発生回路３３−１〜３３−４で生成してリジェクト型ＡＯＴＦ３０に与える。２つの波長を同時にリジェクトする場合は、２つのＲＦ信号周波数を発生させ、ミキサ３４にて混合してから印加する。４つの波長を同時にリジェクトする場合は、４つのＲＦ信号周波数を発生させ、ミキサにて混合してから印加する。非選択光モニタ回路３５は、リジェクト型ＡＯＴＦ３０が所望の波長を正しくリジェクトできているかをモニタするための回路である。選択光モニタ回路３６、非選択光モニタ回路３５のモニタ信号の検出及び処理、及び、ＲＦ信号発生回路３２、３３−１〜３３−４への命令信号の入力は、信号処理回路３６が行う。
【００１８】
図１３は、リジェクト型ＡＯＴＦの引き寄せ効果を説明するための図である。
同図において、（ａ）は、図１２に示すリジェクト型ＡＯＴＦモジュールへ入力するＷＤＭ信号を示している。波長間隔２００ＧＨｚのλ１〜λ３２からなるＣ、Ｌバンド３２波長がＷＤＭ信号を構成する。（ｂ）は、リジェクト型ＡＯＴＦモジュールの出力ＷＤＭ信号を示す。λ２、λ３の点線表示はリジェクトされた状態を示す。（ｃ）は、ＷＤＭ入力信号の中からλ２、λ３をリジェクトするためにリジェクト型ＡＯＴＦモジュールに与えられるＲＦ信号を示す。ｆ２がλ２、ｆ３がλ３に対応する。点線は未使用のＲＦ信号を示す。（ｃ）において、各ＲＦ信号周波数間隔をΔｆ１で示す。通常、約１００ｋＨｚである。（ｄ）は、ＷＤＭ入力信号の中からλ２〜λ４をリジェクトした場合を示し、（ｅ）は、（ｄ）を実現するためにリジェクト型ＡＯＴＦモジュールに与えられるＲＦ信号を示す。（ｅ）は、２つの波長リジェクトから４つの波長リジェクトにすることで、ＲＦ信号周波数間隔がΔｆ１からΔｆ２（Δｆ２＜Δｆ１）に変化していることを示している。リジェクトする波長数が増えることにより、ＲＦ信号周波数間隔がΔｆ１からΔｆ２（Δｆ２＜Δｆ１）に変化する現象を本明細書では、「引き寄せ効果」と呼ぶ。リジェクトする波長数が増えるときに起こる「引き寄せ効果」は、波長をリジェクトする制御を煩雑にする要因となっており、制御上における大きな課題の１つである。「引き寄せ効果」や実用レベルの波長リジェクト間隔が２００ＧＨｚであることから、リジェクト型ＡＯＴＦをＯＡＤＭに適用するのは難しく、現在では、誘電体多層膜などを用いた固定のバンドリジェクションフィルタが用いられている。従って、挿入機能は固定型となっている。
【００１９】
図１４は、光分岐挿入（ＯＡＤＭ）装置の機能概念を説明するための図である。
光波長λ１、λ２、λ３、λ４を含むＷＤＭ入力光が光分岐挿入装置のポートａに入射された場合、装置内で分岐された波長λ１、λ２、λ３、λ４はポートｃに出射される。また、光の挿入はポートｄから行われ、同図の例では、波長λ５、λ６、λ７、λ８が挿入され、ポートｂの出力光にアドされて出射されていることを示している。
【００２０】
リジェクト型ＡＯＴＦを用いたＯＡＤＭ装置の説明
図１５は、リジェクト型ＡＯＴＦモジュールを用いた光分岐挿入装置の動作を説明する図である。
【００２１】
図１５において、ネットワークから流れてくるＷＤＭ信号を、挿入部で挿入する際に、挿入する波長に対応するネットワーク光の中の波長をリジェクトするために、リジェクト型ＡＯＴＦモジュール４０が用いられている。この装置では、「引き寄せ効果」による制御の煩雑さや波長リジェクト間隔の２００ＧＨｚが実用レベルという制限を持つ。分岐部のドロップ型ＡＯＴＦモジュール４１−１〜４１−４では、波長間隔１００ＧＨｚで分岐が可能であり、「引き寄せ効果」による制御の煩雑さはない。
【００２２】
ポートａから入力されたＷＤＭ光は、例えば、Ｃバンド１６波、Ｌバンド１６波で構成されている。光分岐カプラ４２は、入力されたＷＤＭ光を単純に分岐する。ＷＤＭアンプ４３では、分岐されたＷＤＭ光が増幅され、光分岐カプラ４４において、更に、ドロップする波長数に分岐される。そして、各ドロップ型ＡＯＴＦモジュール４１−１〜４１−４に入力されたＷＤＭ光から各波長λ１〜λ４の光信号が出力される。
【００２３】
波長λ５〜λ８の挿入光は、後述するＡＯＴＦ型チューナブルトランスポンダ４５−１〜４５−４で波長が変換され、光アンプ４６−１〜４６−４で増幅された後、光合波カプラ４７で合波され、光合波カプラ４８でスルー光と合波される。このとき、リジェクト型ＡＯＴＦモジュール４０では、挿入される光信号の波長と同じ波長の光信号をリジェクトしている。光合波カプラ４８から出力されるＷＤＭ光は、ＷＤＭアンプ４９によって増幅され、伝送路に送出される。
【００２４】
図１６は、固定のバンドリジェクションフィルタを用いた光分岐挿入装置の動作を説明するための図である。
なお、図１６においては、図１５と同じ構成要素には同じ符号を付して説明を省略する。
【００２５】
図１６の構成にすれば、「引き寄せ効果」による制御の煩雑さや波長リジェクト間隔が最小で２００ＧＨｚに限定されるという課題は解決できる。しかしながら、挿入機能が固定型であるため、柔軟性が失われている。例えば、固定のバンドリジェクションフィルタ５１を用いたＯＡＤＭ装置により光ネットワークを構成した場合、Ａｄｄ機能側が４波長固定であるため、最大６４波長のＷＤＭ信号を考えた場合、ノード数が１６に制限されてしまう。
【００２６】
図１６の固定型光分岐挿入装置では、挿入する（Ａｄｄする）波長が固定なので、トランスポンダ４５’−１〜４５’−４の波長変換機能は固定でよく、可変光減衰器（Variable Optical Attenuator）５０を介して、固定のバンドリジェクションフィルタ５１に入力され、スルー光と合波されて伝送路に送出される。
【００２７】
光通信ネットワークにおいて、従来の光ストリーム伝送方式から新しく光バーストスイッチング伝送方式への移行が期待されている。これは、バースト性の高いインターネットトラフィックの統計的性質に着目し、ミリ秒オーダ以下の時間間隔で、バーストデータ伝達に必要な時間だけ、ある波長を割り当て、ネットワークリソースの使用効率を高めた光伝達網である。光バーストスイッチング伝送方式にすることで、ネットワークリソースの使用効率を高めることが可能となる。このためには、ミリ秒オーダ以下での波長切り替えを行うことが求められており、ＡＯＴＦはマイクロ秒オーダの波長切り替えが可能であることから光バーストスイッチング伝送のコアデバイスとして有効であることが知られている。
【００２８】
上記従来技術の内容は、下記、特許文献１〜８、及び、非特許文献１〜４に記載されている。
【特許文献１】特開２００３−３４４８１７号公報
【特許文献２】特願２００３−０５３３３５号の明細書
【特許文献３】国際出願  ＰＣＴ  ＪＰ  ０３  ０４７９３号の明細書
【特許文献４】特願２００３−５１７４１号の明細書
【特許文献５】特開平１１−２１８７９０号公報
【特許文献６】特開平１１−２８９２９６号公報
【特許文献７】特開２０００−２４１７８２号公報
【特許文献８】特願２００３−３１６９７３号の明細書
【非特許文献１】論文名：「音響光学型チューナブルフィルタ（ＡＯＴＦ）制御の高速化」論文番号：Ｂ−１０−４０  学会名：電子情報通信学会  ２００２年ソサイエティ大会  著者名：野口雅司、甲斐雄高、上野智弘、宮田英之、尾中寛
【非特許文献２】論文名：ＡＯ素子の最近の技術進展  電子情報通信学会論文誌  Ｃ  Ｖｏｌ  Ｊ８6−ＣＮｏ１２、ｐ１２３６−１２４３  著者名：中澤忠雄、宮田宏志、宮田英之、甲斐雄高、角田有紀人、尾中寛
【非特許文献３】論文名：Photonic Gateway with μs-order Wavelength Path Control for Metro Access Networks.学会名：ＥＣＯＣ２００３  著者名：甲斐雄高、曽根恭介、野口雅司、上野智弘、中澤忠雄、宮田宏志、宮田英之、尾中寛
【非特許文献４】論文名：「高速波長選択小型４チャンネル集積型ＡＯＴＦサブシステムの開発」論文番号：Ｂ＿１０＿６１  学会名：電子情報通信学会  ２００３年ソサイエティ大会  著者名：野口雅司、甲斐雄高、上野智弘、宮田英之、尾中寛、中澤忠雄、宮田宏志
【発明の開示】
【発明が解決しようとする課題】
【００２９】
前述したように、ＡＯＴＦを用いた光波長分岐挿入装置において、光を挿入する際に、ネットワークから流れてくる、挿入される波長に対応する波長をリジェクトしておく必要がある。
【００３０】
従来技術では、リジェクト型ＡＯＴＦを用いて構成していたが、リジェクトする波長に対応したＲＦ信号をＡＯＴＦに与える仕組みになっており、複数の波長をリジェクトするには、複数のＲＦ信号を混合して与える必要があった。しかしながら、波長数の増減により、ＲＦ周波数間隔が変わってしまい（いわゆる引き寄せ効果）、制御が煩雑になるという問題があった。
【００３１】
また、従来では、ＲＦ信号を混合しているためＤ／Ｕ特性（望まれる信号と望まれない信号との比）が劣化するという問題もあった。
更に、従来では、スペクトルアナライザ機能によりＷＤＭ信号をモニタしておく必要があり高速切り替えに対応できないという問題があった。
【００３２】
更に、リジェクト型ＡＯＴＦでは、波長間隔が２００ＧHｚ間隔以上でなければ、実使用ができないなどの問題があった。このような問題から、現状ではダイナミックなリジェクト機能は、事実上採用されておらず、固定のバンドリジェクションフィルタが用いられている。固定のバンドリジェクションフィルタを用いたＯＡＤＭ装置により光ネットワークを構成した場合、Ａｄｄ機能側が4波長固定であるため、最大６４波長のＷＤＭ信号で考えた場合、ノード数が１６に制限されてしまうという問題があった。
【００３３】
本発明の課題は、制御が簡単で、高速切り替えが出来、ネットワーク構成に制限を与えない光分岐挿入装置を提供することである。
【課題を解決するための手段】
【００３４】
本発明の第１の光分岐挿入装置は、ネットワークを流れてくる波長多重光信号に対し、所定の波長の光信号を分岐し、所定の波長の光信号を挿入する光分岐挿入装置において、入力された波長多重光信号を分岐する分岐手段と、該分岐手段によって分岐された第１の光信号から所定の波長の光信号を分離する分離手段と、音響光学チューナブルフィルタからなり、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトするように構成され、該分岐手段によって分岐された第２の光信号から挿入されるべき光信号と同じ波長の光信号をリジェクトするリジェクト手段と、該リジェクト手段をスルーしてきた光信号に、所定の波長の光信号を挿入する挿入手段とを備えることを特徴とする。
【００３５】
本発明の第２の光分岐挿入装置は、ネットワークを流れてくる波長多重光信号に対し、所定の波長の光信号を分岐し、所定の波長の光信号を挿入する光分岐挿入装置において、ネットワークを流れてくる波長多重光信号を受信し、光信号の分岐挿入を行う、光信号の分岐挿入の動作が固定された波長に限定された固定分岐挿入手段と、音響光学チューナブルフィルタからなり、該固定分岐挿入手段から分岐された波長の光信号を入力し、スルーしたい波長の光信号は、該音響光学チューナブルフィルタに対応するＲＦ信号を印加してスルーさせ、リジェクトしたい波長の光信号は、該音響光学チューナブルフィルタに対応するＲＦ信号の印加を停止してリジェクトするリジェクト手段と、該リジェクトされた光信号と同じ波長の光信号を該固定分岐挿入手段に入力して、光信号を挿入する挿入手段とを備えることを特徴とする。
【発明の効果】
【００３６】
本発明によれば、制御が簡単で、高速切り替えが出来、リジェクト型ＡＯＴＦの場合のようなネットワーク構成の制限がない光分岐挿入装置を提供することができる。
【発明を実施するための最良の形態】
【００３７】
本発明の実施形態では、ドロップ型ＡＯＴＦ機能を挿入部（Ａｄｄ部）の波長リジェクト用途に使用する。
ネットワークから流れてくるＷＤＭ信号を光分岐器又は光分波器又はその組み合わせにより分波・分岐し、分波・分岐したそれぞれの信号ポートに対し、ドロップ型ＡＯＴＦの入力ポートに接続する。ドロップ型ＡＯＴＦの出力ポートを光結合器又は光合波器又はその組み合わせにより結合・合波する構成にする。スルー時は波長選択を行い、挿入時は、ネットワークを流れてくるＷＤＭ信号の特定の波長をリジェクトするためにドロップ型ＡＯＴＦの選択動作を停止することによりリジェクト機能を実現する。このようにドロップ型ＡＯＴＦを用いることで、ＷＤＭ信号の中から任意の波長をリジェクトできるようになる。波長間隔も１００ＧＨｚを利用できるようになる。また、各ドロップ型ＡＯＴＦがリジェクトする波長は１つとなり、従って、ドロップ型ＡＯＴＦに印加するＲＦ信号も混合して印加する必要が無いので引き寄せ効果が起こらず、制御の煩雑さが解消される。また、ＲＦ信号を混合しないため混合によるＤ／Ｕ特性の劣化をなくすことができる。制御に当たっては、アレイ状に構成したドロップ型ＡＯＴＦの中から運用回線に使用しないＡＯＴＦを用意し、これに基準光を入射させ、常時選択しつづける。この選択信号のＲＦ周波数を基準にして、運用回線のＡＯＴＦに与えるＲＦ信号周波数を計算し、与えることで、高速波長リジェクションが可能となり、光バーストスイッチングへの適用が可能となる。従って、従来技術におけるスペクトルモニタが不要になる。
【００３８】
更に、光ネットワークを構成した場合、Ａｄｄ機能側への波長数及び波長を任意に設定できる。最大６４波長のＷＤＭ信号で考えた場合、ノード数が１６に制限されてしまうという問題は解消される。
【００３９】
分岐部は、従来どおりドロップ型ＡＯＴＦ機能を適用する。挿入部には、ドロップ型ＡＯＴＦを用いたトランスポンダを適用する。こうすることで、装置の分岐機能，挿入機能、波長リジェクト（ブロック）機能を全て、ドロップ型ＡＯＴＦを用いて実現できることになり、マイクロ秒オーダの波長制御により、光バーストスイッチング伝送も可能になる。
【００４０】
図１は、本発明の第１の実施形態による光分岐挿入装置の動作を説明するための図である。また、図２に、１７ｃｈ集積型ドロップＡＯＴＦモジュールの構成を説明するための図を示す。更に、図３に、ＡＯＴＦ型チューナブルトランスポンダを説明するための図を示す。
【００４１】
図１において、ネットワークから流れてくるＷＤＭ伝送信号は、ポートａに入射される。同図においては、ＷＤＭ伝送信号は、１００ＧＨｚ間隔のＣバンド3２波長（λ１〜λ３２）、１００ＧＨｚ間隔のＬバンド３２波長λ３３〜λ６４）での構成例を示す。ポートａに入射されたＷＤＭ伝送信号は、光分岐カプラ４２において、ポートｃに分岐するための光信号と、ポートｄからの挿入光と結合してポートｂからネットワーク上に送出するための光信号に分岐する。ポートｄからの挿入光と結合してポートｂからネットワーク上に送出するための光信号は、誘電体多層膜などにより構成されたＣＬバンド分波器５８によりＣバンドとＬバンドに分波される。更に、それぞれのＣ，Ｌバンド波長は、誘電体多層膜などにより構成された光分波器５９、６０によって１６波長を1まとめとするグループに分波される。分波された１６波長単位の信号は、光分岐カプラ６１によって１６分岐される。１６分岐された分岐光は、１７ｃｈ集積ドロップ型ＡＯＴＦモジュール６２−１〜６２−４の各ドロップ型ＡＯＴＦに接続される。１７ｃｈ集積ドロップ型ＡＯＴＦモジュール６２−１〜６２−４の各ドロップ型ＡＯＴＦにて選択された波長は、光結合カプラ６３により結合され、誘電体多層膜などにより構成された光合波器６４、６５、誘電体多層膜などにより構成されたＣＬバンド合波器６６により合波され、光結合カプラ４８により挿入光と結合されＷＤＭアンプ４９を経由して、ポートｂに送出される。
【００４２】
１７ｃｈ集積ドロップ型ＡＯＴＦモジュール６２−１〜６２−４の１７ｃｈ目のドロップ型ＡＯＴＦは、基準光モニタ用に用いられており、基準光源５６から出力される基準光としては、１波長又は２波長が最短波長側、及び／又は、最長波長側に設けられたＷＤＭ伝送信号を含む信号が用いられる。基準光源５６からの基準光は、光結合カプラ５５、光分岐カプラ４４を介して、ドロップ型ＡＯＴＦ４１に入力されると共に、光分岐カプラ５７を介して、各１７ｃｈ集積ドロップ型ＡＯＴＦモジュール６２−１〜６２−４に入力される。また、これらとは別に、基準光源５６からの基準光は、ＡＯＴＦ型チューナブルトランスポンダ４５にも入力される。
【００４３】
ドロップ型ＡＯＴＦの制御としては、この基準光を選択しつづけるように制御し、挿入する波長に対応して、ＷＤＭ信号の中からリジェクトする動作が必要な場合、１７ｃｈ集積ドロップ型ＡＯＴＦモジュール６２−１〜６２−４の各ドロップ型ＡＯＴＦの選択動作の内、対応する各ドロップ型ＡＯＴＦの選択動作を停止するように制御する。こうすることで、特定波長のリジェクト制御が実現できる。挿入部においては、ＡＯＴＦ型チューナブルトランスポンダ４５により、外部からのＡｄｄ信号波長は必要に応じて波長変換され、光アンプ４６−１〜４６−４により増幅され、光結合カプラ４７にて結合され、ＶＯＡ（Variable Optical Attenuator）５０により出力調整されて、光結合カプラ４８に入射される。ＡＯＴＦ型チューナブルトランスポンダ４５には、基準光が入射されており、リジェクト部に適用された１７ｃｈ集積ドロップ型ＡＯＴＦモジュール６２−１〜６２−４と同様に基準光を選択しつづけるように制御し、挿入する波長に対応して、ＬＤバンクの中から選択する。ＬＤバンクは、複数の波長の光を出力する複数のＬＤからの光を合波して、多波長光源としたものである。
【００４４】
一方、ポートｃへの分岐制御については、光分岐カプラ４２から分岐されたＷＤＭ信号は、ＷＤＭアンプ４３に光増幅され、光結合カプラ５５にて基準光と結合し、光分岐カプラ４４にて、6分岐される。ドロップ型ＡＯＴＦ４１の１つにて、基準光を選択し続けるように制御し、分岐制御に応じて、各波長の光信号がドロップ型ＡＯＴＦの他の４つから出射される。
【００４５】
基準光は、主信号の最長波長の長波長側あるいは、最短波長の短波長側などにもうける。基準光が１つだけもうけられる場合には、基準光を選択しているＲＦ周波数からどの間隔分波なれたＲＦ周波数の信号を与えれば、所望の波長が選択できるかを計算して、ＲＦ信号をＡＯＴＦに与える。基準光が最短波長側と最長波長側の両側にある場合には、最短波長の基準光を選択しているＲＦ周波数と最長波長の基準光を選択しているＲＦ周波数を取得し、間に何波長はいっているかによって、これらのＲＦ周波数差を等分して、選択ＲＦ周波数を得るようにする。
【００４６】
図２は、１７ｃｈ集積ドロップ型ＡＯＴＦモジュールの構成を説明する図である。
この構成は、図１０の５ｃｈ集積ドロップ型ＡＯＴＦモジュールと基本的に同じであり、ただ、集積されたＡＯＴＦが１７個あるという点が異なるのみなので、説明を省略する。
【００４７】
図３は、ＡＯＴＦ型チューナブルトランスポンダを説明するための図である。
各光信号入力は、光電気変換器Ｏ／Ｅに入力されて電気信号に変換され、光変調器７６−１〜７６−４へ駆動信号として与えられる。ＬＤバンク７０−１〜７０−４は、複数の波長を含んだ光を出力する多波長光源であり、各ＬＤバンク７０−１〜７０−４は、異なる波長の光源である。ＬＤバンク７０−１〜７０−４からの光を光結合カプラ７１−１〜７１−４が合波し、更に、この合波された光が光結合カプラ７２で合波される。そして、光結合カプラ７３で基準光が合波され、光分岐カプラ７４において、5分割される。ドロップ型ＡＯＴＦ７５−５は、基準光を選択するフィルタとして動作し、他のドロップ型ＡＯＴＦ７５−１〜７５−４は、それぞれ異なる４波長を選択するフィルタとして動作する。ドロップ型ＡＯＴＦ７５−１〜７５−４の波長選択は、ドロップ型ＡＯＴＦ７５−５が基準光を選択した時に使用したＲＦ信号の周波数を基に行われる。ドロップ型ＡＯＴＦ７５−１〜７５−４からの各波長の光は、各光変調器７６−１〜７６−４に入力され、変調されて、各波長の光信号として出力される。
【００４８】
図４は、本発明の第２の実施形態の光分岐挿入装置の動作を説明するための図である。
図４において、ネットワークから流れてくるＷＤＭ伝送信号は、ポートａに入射される。同図において、ＷＤＭ伝送信号は、１００ＧＨｚ間隔のＣバンド３２波長（λ１〜λ３２）、１００ＧＨｚ間隔のＬバンド３２波長（λ３３〜λ６４）での構成例を示す。ポートａに入射されたＷＤＭ伝送信号は、光分岐カプラ４２により、ポートｃに分岐するための光信号と、ポートｄからの挿入光と結合してポートｂからネットワーク上に送出するための光信号に分岐する。ポートｄからの挿入光と結合してポートｂからネットワーク上に送出するための光信号は、ＡＷＧ（Arrayed Waveguide Grating）などにより構成される光分波器８０により６４波長に分波される。分波された６４波長は、１７ｃｈ集積ドロップ型ＡＯＴＦモジュール６２−１〜６２−４の各ドロップＡＯＴＦに接続される。１７ｃｈ集積ドロップ型ＡＯＴＦモジュール６２−１〜６２−４の各ドロップ型ＡＯＴＦにて選択された波長は、ＡＷＧなどにより構成される光合波器８１により合波され、光結合カプラ４８により挿入光と結合されＷＤＭアンプ４９を経由してポートｂに送出される。１７ｃｈ集積ドロップ型ＡＯＴＦモジュール６２−１〜６２−４の１７ｃｈ目のドロップ型ＡＯＴＦは、基準光モニタ用に用いられており、基準光として、１波長又は２波長が最短波長側又は最長波長側に設けられたＷＤＭ伝送信号を含む信号が用いられる。ドロップ型ＡＯＴＦの制御としては、この基準光を選択しつづけるように制御し、挿入する波長に対応して、ＷＤＭ信号の中からリジェクトする動作が必要な場合、１７ｃｈ集積ドロップ型ＡＯＴＦの選択動作を停止するように制御する。こうすることで、特定波長のリジェクト制御が実現できる。挿入部においては、ＡＯＴＦ型チューナブルトランスポンダ４５により、外部からのＡｄｄ信号波長は必要に応じて波長変換され光アンプ４６−１〜４６−４により増幅され、光結合カプラ４７にて結合され、ＶＯＡ５０により出力調整されて、光結合カプラ４８に入射される。ＡＯＴＦ型チューナブルトランスポンダ４５には、基準光が入射されており、リジェクト部に適用された１７ｃｈ集積ドロップ型ＡＯＴＦモジュール６２−１〜６２−４と同様に基準光を選択しつづけるように制御し、挿入する波長に対応して、ＬＤバンクの中から選択する。
【００４９】
一方、ポートｃへの分岐制御については、光結合カプラ４２から分岐されたＷＤＭ信号は、ＷＤＭアンプ４３において光増幅され、光結合カプラ５５にて基準光と結合し、光分岐カプラ４４にて、6分岐される。ドロップ型ＡＯＴＦ４１の１つにて、基準光を選択し続けるように制御し、分岐制御に応じて、ドロップ型ＡＯＴＦ４１の他の４つから出射される。
【００５０】
図５は、本発明の第３の実施形態による光分岐挿入装置の動作を説明するための図である。
図５において、ネットワークから流れてくるＷＤＭ伝送信号は、ポートａに入射される。同図において、ＷＤＭ伝送信号は、１００ＧＨｚ間隔のＣバンド１６波長（λ１〜λ１６）での構成例を示す。ポートａに入射されたＷＤＭ伝送信号は、光分岐カプラ４２よりポートｃに分岐するための光信号と、ポートｄからの挿入光と結合してポートｂからネットワーク上に送出するための光信号に分岐する。ポートｄからの挿入光と結合してポートｂからネットワーク上に送出するための光信号は、誘電体多層膜などにより構成される光分岐器８０により１６波長に分岐される。分岐された１６波長は、１７ｃｈ集積ドロップ型ＡＯＴＦモジュール６２の各ドロップ型ＡＯＴＦに接続される。１７ｃｈ集積ドロップ型ＡＯＴＦモジュール６２の各ドロップＡＯＴＦにて選択された波長は、誘電体多層膜などにより構成される光結合器８１により結合され、光結合カプラ４８により挿入光と結合されＷＤＭアンプ４９を経由して、ポートｂに送出される。１７ｃｈ集積ドロップ型ＡＯＴＦモジュール６２の１７ｃｈ目のドロップ型ＡＯＴＦは、基準光モニタ用に用いられており、基準光として、１波長又は２波長が最短波長側及びまたは最長波長側に設けられたＷＤＭ伝送信号を含む信号が用いられる。ドロップ型ＡＯＴＦの制御としては、この基準光を選択しつづけるように制御し、挿入する波長に対応して、ＷＤＭ信号の中からリジェクトする動作が必要な場合、１７ｃｈ集積ドロップ型ＡＯＴＦモジュール６２の各ドロップ型ＡＯＴＦの選択動作の内、対応する各ドロップ型ＡＯＴＦの選択動作を停止するように制御する。こうすることで、特定波長のリジェクト制御が実現できる。挿入部においては、ＡＯＴＦチューナブルトランスポンダ４５により、外部からのＡｄｄ信号波長は必要に応じて波長変換され光アンプ４６−１〜４６−４により増幅され、光結合カプラ４７にて結合され、ＶＯＡ５０により出力調整されて、光結合カプラ４８に入射される。ＡＯＴＦ型チューナブルトランスポンダ４５には、基準光が入射されており、リジェクト部に適用された１７ｃｈ集積ドロップ型ＡＯＴＦモジュール６２と同様に基準光を選択しつづけるように制御し、挿入する波長に対応して、ＬＤバンクの中から選択する。
【００５１】
一方、ポートｃへの分岐制御については、光分岐カプラ４２から分岐されたＷＤＭ信号は、ＷＤＭアンプ４３に光増幅され、光結合カプラ５５にて基準光と結合し、光分岐カプラ４４にて、6分岐される。ドロップ型ＡＯＴＦ４１の１つにて、基準光を選択しつづけるように制御し、分岐制御に応じて、ドロップ型ＡＯＴＦ４１の他の４つから出射される。
【００５２】
図６は、本発明による第４の実施形態の光分岐挿入装置の動作を説明するための図である。
図６において、ネットワークから流れてくるＷＤＭ伝送信号は、ポートａに入射される。同図において、ＷＤＭ伝送信号は、１００ＧＨｚ間隔のＣバンド３２波長（λ１〜λ３２）、１００ＧＨｚ間隔Ｌバンド３２波長（λ３３〜λ６４）での構成例を示す。ポートａに入射されたＷＤＭ伝送信号は、光分岐カプラ４２より、ポートｃに分岐するための光信号と、ポートｄからの挿入光と結合してポートｂからネットワーク上に送出するための光信号に分岐する。ポートｄからの挿入光と結合してポートｂからネットワーク上に送出するための光信号は、誘電体多層膜などにより構成される固定型のＯＡＤＭデバイス７０によりλ５〜λ８がＷＤＭ信号の中から固定リジェクトされ、固定リジェクトされたλ５〜λ８の波長はＤｒｏｐポートに出力される。Ｄｒｏｐポートに出力されたλ５〜λ８の波長は、光結合カプラ７２にて基準光と結合され、光分岐カプラ７３に入射される。光分岐カプラ７３において、5分岐された光信号は、５ｃｈ集積ドロップ型ＡＯＴＦモジュール７４に入射される。５ｃｈ集積ドロップ型ＡＯＴＦモジュール７４のドロップ型ＡＯＴＦの１つにより、基準光を選択しつづけるように制御し、それをもとにドロップ型ＡＯＴＦＦの他の４つにてλ５〜λ８が選択制御され、それぞれ出射される。ドロップ型ＡＯＴＦの他の４つの選択動作を停止することで、リジェクトを行い光挿入する。光結合カプラ７１−１〜７１−４から出射された光信号は、光アンプ４６−１〜４６−４にて増幅され、光結合カプラ４７にて結合され、ＶＯＡ５０により出力調整されて、固定ＯＡＤＭデバイス７０のＡｄｄポートに入射される。入射されたＡｄｄ信号は、Ｉｎポートの信号とＡｄｄされてＯｕｔポートに出射される。
【００５３】
ＡＯＴＦ型チューナブルトランスポンダ４５には、基準光が入射されており、リジェクト部に適用された５ｃｈ集積ドロップ型ＡＯＴＦモジュール７４と同様に基準光を選択しつづけるように制御し、挿入する波長に対応して、ＬＤバンクの中から選択する。
【００５４】
一方、ポートｃへの分岐制御については、光分岐カプラ４２から分岐されたＷＤＭ信号は、ＷＤＭアンプ４３に光増幅され、光結合カプラ５５にて基準光と結合し、光分岐カプラ４４にて、6分岐される。ドロップ型ＡＯＴＦ４１の１つにて、基準光を選択しつづけるように制御し、分岐制御に応じて、ドロップ型ＡＯＴＦ４１の他の４つから出射される。
【００５５】
図７は、本発明の第５の実施携帯による光分岐挿入装置の動作を説明するための図である。
図７は、基本構成は、図６と同様である。図６においては、固定のＯＡＤＭデバイス７０の出力を光分岐カプラ７３にて、５ｃｈ集積ドロップ型ＡＯＴＦモジュール７４への入射信号を生成しているのに対して、図７では、ＡＷＧなどにより構成される光分波器８０を用いて分波している点が異なる。また、基準光源の取り方が、光分岐カプラ４４の出力から５ｃｈ集積ドロップ型ＡＯＴＦモジュール７４のドロップ型ＡＯＴＦの１つに入射して基準光モニタ用に使用できる点が異なる。その他の動作は図６と同様であるので、詳細な説明は省略する。
【００５６】
本発明の実施形態によれば、ドロップ型ＡＯＴＦのみで、ダイナミックＯＡＤＭを構成することが可能であり、
１）リジェクト型ＡＯＴＦが不要となる。
２）引き寄せ効果による制御に煩雑さが解消される。
３）ＲＦ信号の混成によるＤ／Ｕ特性が劣化が無くなる。
４）光スペクトルアナライザが不要となるため、高速波長リジェクションが可能となる。そのことによって、光バーストスイッチングへの適用が可能となる。
５）波長間隔が１００ＧＨｚを実現できる。
６）ダイナミックＯＡＤＭを容易に構成できる。
７）Ａｄｄ部の挿入波長が可変になるため、光ネットワークを構成した場合のノード数を増やすことが可能となる。
などの効果がある。
【００５７】
（付記１）ネットワークを流れてくる波長多重光信号に対し、所定の波長の光信号を分岐し、所定の波長の光信号を挿入する光分岐挿入装置において、
入力された波長多重光信号を分岐する分岐手段と、
該分岐手段によって分岐された第１の光信号から所定の波長の光信号を分離する分離手段と、
音響光学チューナブルフィルタからなり、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトするように構成され、該分岐手段によって分岐された第２の光信号から挿入されるべき光信号と同じ波長の光信号をリジェクトするリジェクト手段と、
該リジェクト手段をスルーしてきた光信号に、所定の波長の光信号を挿入する挿入手段と、
を備えることを特徴とする光分岐挿入装置。
【００５８】
（付記２）
前記挿入される光を生成するトランスポンダ手段を更に備え、
該トランスポンダ手段は、
挿入すべき光信号を入力し、電気信号に変換する光電気変換手段と、
多波長光源と、
多波長光源からの光から、必要な波長の光を選択する選択手段と、
該選択され多波長の光を、該光電気変換手段によって得られた電気信号で変調する変調手段と、
を備えることを特徴とする付記１に記載の光分岐挿入装置。
【００５９】
（付記３）
前記選択手段は、ドロップ型の音響光学チューナブルフィルタであることを特徴とする付記２に記載の光分岐挿入装置。
【００６０】
（付記４）
ネットワークを流れてくる波長多重光信号に対し、所定の波長の光信号を分岐し、所定の波長の光信号を挿入する光分岐挿入装置において、
ネットワークを流れてくる波長多重光信号を受信し、光信号の分岐挿入を行う、光信号の分岐挿入の動作が固定された波長に限定された固定分岐挿入手段と、
音響光学チューナブルフィルタからなり、該固定分岐挿入手段から分岐された波長の光信号を入力し、スルーしたい波長の光信号は、該音響光学チューナブルフィルタに対応するＲＦ信号を印加してスルーさせ、リジェクトしたい波長の光信号は、該音響光学チューナブルフィルタに対応するＲＦ信号の印加を停止してリジェクトするリジェクト手段と、
該リジェクトされた光信号と同じ波長の光信号を該固定分岐挿入手段に入力して、光信号を挿入する挿入手段と、
を備えることを特徴とする光分岐挿入装置。
【００６１】
（付記５）
前記挿入される光を生成するトランスポンダ手段を更に備え、
該トランスポンダ手段は、
挿入すべき光信号を入力し、電気信号に変換する光電気変換手段と、
多波長光源と、
多波長光源からの光から、必要な波長の光を選択する選択手段と、
該選択され多波長の光を、該光電気変換手段によって得られた電気信号で変調する変調手段と、
を備えることを特徴とする付記４に記載の光分岐挿入装置。
【００６２】
（付記６）
前記選択手段は、ドロップ型の音響光学チューナブルフィルタであることを特徴とする付記５に記載の光分岐挿入装置。
【００６３】
（付記７）
音響光学チューナブルフィルタからなり、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトするように構成された光学デバイス。
【００６４】
（付記８）ネットワークを流れてくる波長多重光信号に対し、所定の波長の光信号を分岐し、所定の波長の光信号を挿入する光分岐挿入装置における光分岐挿入方法において、
入力された波長多重光信号を分岐する分岐ステップと、
該分岐手段によって分岐された第１の光信号から所定の波長の光信号を分離する分離ステップと、
音響光学チューナブルフィルタを用い、スルーする光信号は、対応するＲＦ信号を該音響光学チューナブルフィルタに印加することによって選択し、リジェクトする光信号は、該音響光学チューナブルフィルタに印加されているＲＦ信号を停止することによってリジェクトすることにより、該分岐ステップによって分岐された第２の光信号から挿入されるべき光信号と同じ波長の光信号をリジェクトするリジェクトステップと、
該リジェクト手段をスルーしてきた光信号に、所定の波長の光信号を挿入する挿入ステップと、
を備えることを特徴とする光分岐挿入方法。
【００６５】
（付記９）
前記挿入される光を生成するトランスポンダステップを更に備え、
該トランスポンダステップは、
挿入すべき光信号を入力し、電気信号に変換する光電気変換ステップと、
多波長光源を設けるステップと、
多波長光源からの光から、必要な波長の光を選択する選択ステップと、
該選択され多波長の光を、該光電気変換ステップによって得られた電気信号で変調する変調ステップと、
を備えることを特徴とする付記８に記載の光分岐挿入方法。
【００６６】
（付記１０）
前記選択ステップは、ドロップ型の音響光学チューナブルフィルタを用いて行うことを特徴とする付記９に記載の光分岐挿入方法。
【００６７】
（付記１１）
ネットワークを流れてくる波長多重光信号に対し、所定の波長の光信号を分岐し、所定の波長の光信号を挿入する光分岐挿入装置における光分岐挿入方法において、
ネットワークを流れてくる波長多重光信号を受信し、光信号の分岐挿入を行う、光信号の分岐挿入の動作が固定された波長に限定された固定分岐挿入ステップと、
音響光学チューナブルフィルタを用い、該固定分岐挿入手段から分岐された波長の光信号を入力し、スルーしたい波長の光信号は、該音響光学チューナブルフィルタに対応するＲＦ信号を印加してスルーさせ、リジェクトしたい波長の光信号は、該音響光学チューナブルフィルタに対応するＲＦ信号の印加を停止してリジェクトするリジェクトステップと、
該リジェクトされた光信号と同じ波長の光信号を挿入する挿入ステップと、
を備えることを特徴とする光分岐挿入方法。
【００６８】
（付記１２）
前記挿入される光を生成するトランスポンダステップを更に備え、
該トランスポンダステップは、
挿入すべき光信号を入力し、電気信号に変換する光電気変換ステップと、
多波長光源を設けるステップと、
多波長光源からの光から、必要な波長の光を選択する選択ステップと、
該選択され多波長の光を、該光電気変換ステップによって得られた電気信号で変調する変調ステップと、
を備えることを特徴とする付記１１に記載の光分岐挿入方法。
【００６９】
（付記１３）
前記選択ステップは、ドロップ型の音響光学チューナブルフィルタを用いて行うことを特徴とする付記１２に記載の光分岐挿入方法。
【図面の簡単な説明】
【００７０】
【図１】本発明の第１の実施形態による光分岐挿入装置の動作を説明するための図である。
【図２】１７ｃｈ集積型ドロップＡＯＴＦモジュールの構成を説明するための図である。
【図３】ＡＯＴＦ型チューナブルトランスポンダを説明するための図である。
【図４】本発明の第２の実施形態の光分岐挿入装置の動作を説明するための図である。
【図５】本発明の第３の実施形態による光分岐挿入装置の動作を説明するための図である。
【図６】本発明による第４の実施形態の光分岐挿入装置の動作を説明するための図である。
【図７】本発明の第５の実施携帯による光分岐挿入装置の動作を説明するための図である。
【図８】ＡＯＴＦの動作原理を説明するための構成図である。
【図９】ドロップ型ＡＯＴＦの構成を説明するための図である。
【図１０】５ｃｈ集積型ドロップ型ＡＯＴＦモジュールの構成を説明するための図である。
【図１１】リジェクト型ＡＯＴＦの構成を説明するための図である。
【図１２】リジェクト型ＡＯＴＦモジュールの動作を説明するための図である。
【図１３】リジェクト型ＡＯＴＦの引き寄せ効果を説明するための図である。
【図１４】光分岐挿入（ＯＡＤＭ）装置の機能概念を説明するための図である。
【図１５】リジェクト型ＡＯＴＦモジュールを用いた光分岐挿入装置の動作を説明する図である。
【図１６】固定のバンドリジェクションフィルタを用いた光分岐挿入装置の動作を説明するための図である。
【符号の説明】
【００７１】
４１      ５ｃｈ集積ドロップ型ＡＯＴＦモジュール
４２      光分岐カプラ
４３      ＷＤＭアンプ
４４      光分岐カプラ
４５      ＡＯＴＦ型チューナブルトランスポンダ
４６−１〜４６−４      光アンプ
４７      光結合カプラ
４８      光結合カプラ
４９      ＷＤＭアンプ
５０      ＶＯＡ
５５      光結合カプラ
５６      基準光源
５７      光分岐カプラ
５８      ＣＬバンド光分波器
５９、６０      光分波器
６１      光分岐カプラ
６２      １７ｃｈ集積ドロップ型ＡＯＴＦモジュール
６３      光結合カプラ
６４、６５      光合波器
６６      ＣＬバンド光合波器
【図１】
2005348270.tif 000003
【図２】
2005348270.tif 000004
【図３】
2005348270.tif 000005
【図４】
2005348270.tif 000006
【図５】
2005348270.tif 000007
【図６】
2005348270.tif 000008
【図７】
2005348270.tif 000009
【図８】
2005348270.tif 000010
【図９】
2005348270.tif 000011
【図１０】
2005348270.tif 000012
【図１１】
2005348270.tif 000013
【図１２】
2005348270.tif 000014
【図１３】
2005348270.tif 000015
【図１４】
2005348270.tif 000016
【図１５】
2005348270.tif 000017
【図１６】
2005348270.tif 000018